(57)【特許請求の範囲】
【請求項１】
フランジがそこから外に向かって放射状に延びる１つの開口端及びその反対側に閉端を備える中空体をそれぞれ有する、耳式体温計のプローブカバー用の取出し容器であって、中空本体と、支持部とを備え、
前記中空本体は、複数の積み重ねられたプローブカバーを収容するように構成され、前記中空本体の端には第１の開口が、前記プローブカバーの前記開口端が前記中空本体の当該第１の開口に面するように形成され、前記第１の開口を有する前記端の反対側の前記中空本体の他端には、第２の開口が形成され、前記第２の開口に隣接する前記中空本体の内側には、少なくとも１対の第１当接部が設けられること、及び
前記支持部は、前記中空本体に受けられた一端及び、前記中空本体の前記第２の開口から突出する反対端を有し、前記支持部は、前記プローブカバーの前記中空体を受けるために前記第１の開口に面する第３の開口を有し、前記支持部には、当該支持部が第２の開口を通って落下することを防止するように、前記１対の第１の当接部に当接する前記第３の開口に隣接する少なくも１対の第２の当接部が外側に設けられ、前記支持部は、前記最も近いプローブカバーの前記フランジに当接する前記第３の開口に隣接する少なくとも１対の第３の当接部がさらに設けられ、前記第３の開口の反対側の前記支持部の前記端は、底として形成されることを特徴とする取出し容器であって、
前記中空本体及び前記支持部は、可撓性のある材料からできており、実質的に同様の断面形状を有し、前記支持部の外面と前記中空本体の内面との間に界面が形成される取出し容器。
【請求項２】
フランジがそこから外に向かって放射状に延びる開口端及びその反対側に閉端を備える中空体をそれぞれ有する、耳式体温計のプローブカバー用の取出し容器を製造する方法であって、
第１の開口を備えて形成された一端及び第２の開口を備えて形成された前記第１の開口の反対側の端を有する可撓性のある柔らかい中空本体を提供するステップを含み、前記第２の開口に隣接する前記中空本体の内側には、少なくとも１対の当接部が設けられ、前記中空本体は、複数の積み重ねられたプローブカバーを収容するように構成されているので、前記プローブカバーの前記開口端が、前記中空本体の前記第１の開口に面し、
一端が前記中空本体に受けられ、反対端が前記中空本体の前記第２の開口から突出する支持部を提供するステップを含み、前記支持部は、前記プローブカバーの前記中空体を受けるために前記第１の開口に面する第３の開口を有し、前記支持部が前記第２の開口を通って逃げることを防止するように、前記１対の第１の当接部に当接する前記第３の開口に隣接する前記支持部の外面に少なくとも１対の第２の当接部が設けられ、前記最も近いプローブカバーの前記フランジに当接する前記第３の開口に隣接する少なくとも１対の第３の当接部が設けられ、前記支持部は、前記第３の開口の反対側の端に底を有し、前記支持部及び前記中空本体は、実質的に同様の断面形状を有し、前記支持部の前記外面と前記中空本体の内面との間に界面が形成される方法。
【請求項３】
フランジがそこから外に向かって放射状に延びる１つの開口端及びその反対側に閉端を備える中空体をそれぞれ有する、耳式体温計のプローブカバー用の取出し容器であって、中空本体と、支持部とを備え、
前記中空本体は、前記複数の積み重ねられたプローブカバーを収容するように構成され、前記中空本体の端には第１の開口が、前記プローブカバーの前記開口端が前記中空本体の当該第１の開口に面するように形成され、前記第１の開口を有する前記端の反対側の前記中空本体の他端には底が形成され、前記底は、第２の開口を中央に備えて形成されること、及び
前記支持部は、前記中空本体内に受けられた一端及び、前記中空本体の前記第２の開口から突出する反対端を有し、前記支持部は、前記プローブカバーの前記中空体を受けるために前記第１の開口に面する第３の開口を有し、前記支持部が前記第２の開口を通って落下することを防止するように、前記最も近いプローブカバーの前記フランジに当接するとともに前記中空本体の前記底にも当接するために、肩部が前記第３の開口から横方向に延びることを特徴とする取出し容器であって、
前記中空本体及び前記支持部は、可撓性のある材料からできており、前記支持部の前記肩部と前記中空本体の内面との間に界面が形成される取出し容器。
【請求項４】
フランジがそこから外に向かって放射状に延びる開口端及びその反対側に閉端を備える中空体をそれぞれ有する、耳式体温計のプローブカバー用の取出し容器を製造する方法であって、
複数の積み重ねられたプローブカバーを収容するように構成されている可撓性のある柔らかい中空本体を提供するステップを含み、第１の開口が、前記プローブカバーの前記開口端が前記中空本体の当該第１の開口に面するように前記中空本体の端に形成され、前記第１の開口を有する前記端の反対側の前記中空本体の端には底が形成され、前記底の中央部には第２の開口が設けられ、
一端が前記中空本体に受けられ、反対端が前記中空本体の前記第２の開口から突出する支持部を提供するステップを含み、前記支持部は、前記プローブカバーの前記中空体を受けるために前記第１の開口に面する第３の開口を有し、前記支持部が前記第２の開口を通って逃げることを防止するように、肩部が前記最も近いプローブカバーの前記フランジに当接する前記第３の開口から横方向に延び、前記支持部は、前記中空本体の材料より硬い材料からできているので、前記支持部と前記中空本体の内面との間に界面が形成される方法。
【請求項５】
フランジがそこから外に向かって放射状に延びる開口端及びその反対側に閉端を備える中空体をそれぞれ有する、耳式体温計のプローブカバー用の取出し容器であって、中空本体と、支持部とを備え、
前記中空本体は、前記複数の積み重ねられたプローブカバーを収容するように構成され、前記中空本体の端には第１の開口が、前記プローブカバーの前記開口端が前記中空本体の当該第１の開口に面するように形成され、前記第１の開口を有する前記端の反対側の前記中空本体の他端には底が形成され、前記中空本体の２つの側面には１対の開口部がそれぞれ形成されること、及び
前記支持部は、前記中空本体に収容され、その長さは、前記中空本体の長さ以下であり、前記支持部は、前記中空本体内で可動性を有し、前記支持部は、前記プローブカバーの前記中空体を受けるために前記第１の開口に面する第３の開口を有し、肩部が前記最も近いプローブカバーの前記フランジに当接する前記第３の開口から横方向に延び、１対の取手部が前記支持部の２つの側面にそれぞれ設けられるとともに前記中空本体の前記開口部からそれぞれ突出することを特徴とする取出し容器であって、
前記中空本体及び前記支持部は、可撓性のある材料からできており、前記支持部と前記中空本体の内面との間の摩擦は、前記中空本体の前記内面と前記プローブカバーの前記フランジとの間の摩擦よりも大きい取出し容器。
【請求項６】
フランジがそこから外に向かって放射状に延びる開口端及びその反対側に閉端を備える中空体をそれぞれ有する、耳式体温計のプローブカバー用の取出し容器を製造する方法であって、
複数の積み重ねられたプローブカバーを収容するように構成されている可撓性のある柔らかい中空本体を提供するステップを含み、第１の開口が、前記プローブカバーの前記開口端が前記中空本体の当該第１の開口に面するように、前記中空本体の端に形成され、前記第１の開口を有する前記端の反対側にある前記中空本体の端には底が形成され、前記中空本体の２つの側面には１対の開口部が形成され、
前記中空本体に受けられ、その長さが前記中空本体の長さ以下であるとともに、前記中空本体の内部において可動性を有する支持部を提供するステップを含み、前記支持部は、前記プローブカバーの前記中空体を受けるために前記第１の開口に面する第３の開口を有し、肩部が前記最も近いプローブカバーの前記フランジに当接する前記第３の開口から横方向に延び、１対の取手部が、前記支持部の２つの側面にそれぞれ設けられるとともに前記中空本体の前記開口部からそれぞれ突出し、前記支持部は、前記中空本体の材料より硬い材料からできているので、前記支持部と前記中空本体の内面との間に界面が形成され、前記支持部と前記中空本体の内面との間の摩擦が、前記中空本体の前記内面と前記プローブカバーの前記フランジとの間の摩擦よりも大きい方法。
【発明の詳細な説明】
【技術分野】
【０００１】
本発明は、耳式体温計のプローブカバー用取出し容器及びそのような取出し容器の製造方法に関する。特に、本発明は、耳式体温計のプローブカバーの取り出しや測定プローブへの装着を容易にする取出し容器及び、そのような取出し容器の製造方法に関する。
【背景技術】
【０００２】
耳式体温計のプローブカバーを収納し提供するための従来型取出し容器は、そのユーザ、例えば、医療従事者が、取出し容器からプローブカバーを取り出してから、手動でプローブカバーを耳式体温計の測定プローブに装着しなければならず、使用するのが不便であった。特に、赤外線耳式体温計では、感染を防ぐとともに測定プローブを清潔に保つためにプローブカバーを用いて作業しなければならない。
【発明の概要】
【発明が解決しようとする課題】
【０００３】
米国特許第４，９９３，４２４号、第５，１００，０１８号及び、第６，８４０，４０２号に開示されている装置など、いくつかの先行技術による装置によれば、自動的に供給してプローブカバーを耳式体温計に装着することが可能となり、医療施設において用いられてきたが、その機械的な複雑さや嵩の高さにより、プローブカバーを供給機構に取り付けたり、プローブカバーを供給機構から送ったりする不便さをユーザに与えてしまう。また、市販されているプローブカバー用取出し容器には、破って開けることで開口部を形成する側面があり、その開口部を通して耳式体温計が取出し容器に収納されているプローブカバーに近づけるものがある。しかしながら、この取出し容器は操作が複雑であり、一旦開口部が形成されるとパッケージの完全性が失われてプローブカバーが空気に曝され、結果として汚染に曝されてしまうという不都合がある。
【課題を解決するための手段】
【０００４】
先行技術による装置の欠点を改善する試みにおいて、本発明は、耳式体温計のプローブカバー用取出し容器及びそのような取出し容器の製造方法を提供するものである。前記取出し容器は、中空本体及び支持部を備える。前記中空本体は、その一端に第１の開口を有し、前記プローブカバーは、それぞれが前記第１の開口に面する開口端を有するように前記取出し容器に配置される。さらに、前記中空本体は、前記第１の開口を有する前記一端の反対側の他端に第２の開口を有する。前記第２の開口に隣接する前記中空本体の内側には、少なくとも１対の当接部が設けられる。前記支持部は、前記中空本体の内側に一端及び、前記中空本体の前記第２の開口から突出した反対端を有する。前記支持部は、前記プローブカバーの中空体を受けるために前記第１の開口に面する第３の開口を有する。前記支持部には、前記支持部が前記第２の開口を通って落下することを防ぐように、前記第１の当接部に当接する、前記第３の開口に隣接する少なくも１対の第２の当接部が外側に設けられる。
【０００５】
従って、本発明の主要な目的は、耳式体温計のプローブカバー用取出し容器及びそのような取出し容器の製造法を提供することであって、前記取出し容器は、その支持部に形成された第２の当接部に当接する第１の当接部を備えて形成された中空本体を有するので、前記支持部が前記中空本体から落下することを避けるように保持されるものである。
【０００６】
本発明の第２の目的は、耳式体温計のプローブカバー用取出し容器及びそのような取出し容器の製造方法を提供することであって、前記取出し容器は、前記取出し容器に積み重ねられたプローブカバーを保持するように、最も近いプローブカバーのフランジに当接する第３の当接部を備えて形成された支持部を有するものである。
【０００７】
本発明の他の目的は、耳式体温計のプローブカバー用取出し容器及びそのような取出し容器の製造方法を提供することであって、前記取出し容器は、ともに可撓性のある材料からできている中空本体及び支持部を有しているため、前記支持面の外面と前記中空本体の内面との間に形成される界面により前記取出し容器の大きさを収縮可能とすることができるものである。
【０００８】
本発明のさらに他の目的は、耳式体温計のプローブカバー用取出し容器及びそのような取出し容器の製造方法を提供することであって、支持部の外面と中空本体の内面との間の摩擦は、当該中空本体の内面と前記プローブカバーのフランジとの間の摩擦よりも大きいものである。そのため、ユーザが耳式体温計を取出し容器の中に直接挿入すると、耳式体温計の測定プローブが中空本体を下方向に押し込み、プローブカバーが相対的に上方に動くので、耳式体温計が、最も近いプローブカバーとスムーズに組み立てられる。
【０００９】
本発明のさらに他の目的は、耳式体温計のプローブカバー用取出し容器及びそのような取出し容器の製造方法を提供することであって、前記取出し容器は、当該取出し容器の中空本体の底に形成された中央開口の周辺に当接する横方向に延びた肩部を備えて形成された支持部を有するので、前記支持部が前記中空本体から落下することを避けるように保持されるものである。
【００１０】
本発明のさらに他の目的は、耳式体温計のプローブカバー用取出し容器及びそのような取出し容器の製造方法を提供することであって、前記取出し容器は、最も近いプローブカバーのフランジに当接する肩部を備えて形成された支持部を有するので、積み重ねられたプローブカバーがしっかりと前記取出し容器の中に保持されるものである。
【００１１】
本発明のさらに他の目的は、耳式体温計のプローブカバー用取出し容器及びそのような取出し容器の製造方法を提供することであって、前記取出し容器の支持部に形成された肩部と、前記取出し容器の中空本体の内面との間に界面が形成されるので、前記取出し容器の大きさが収縮可能となるものである。
【００１２】
本発明のさらに他の目的は、耳式体温計のプローブカバー用取出し容器及びそのような取出し容器の製造方法を提供することであって、前記取出し容器の支持部の肩部と前記取出し容器の中空本体の内面との間の摩擦が、前記中空本体の前記内面と前記プローブカバーのフランジとの間の摩擦よりも大きいものである。そのため、ユーザが耳式体温計を前記取出し容器の中に直接挿入すると、耳式体温計の測定プローブが前記中空本体を下方向に押し込み、前記プローブカバーが相対的に上方に動くので、前記耳式体温計が最も近いプローブカバーとスムーズに組み立てられるものである。
【００１３】
本発明は、耳式体温計のプローブカバー用取出し容器及びそのような取出し容器の製造方法をさらに提供する。前記取出し容器は、複数のプローブカバーを収容するように構成され、中空本体及び支持部を備える取出し容器であって、前記中空本体によって前記取出し容器が積み重ねられた前記複数のプローブカバーをまとめて収容することができるようになるものである。前記中空本体は、その一端に第１の開口を有し、前記プローブカバーは、各プローブカバーが前記第１の開口に面する開口端を有するように、前記取出し容器に配置される。前記中空本体は、前記第１の開口を有する前記一端の反対側の端に底をさらに有する。１対の開口部は、前記中空本体の２つの側面にそれぞれ形成される。前記中空本体に収容される支持部の長さは、前記中空本体の長さ以下であり、前記支持部は、前記中空本体の内部において可動性を有する。１対の取手部は、前記支持部の２つの側面にそれぞれ設けられので、前記支持部が前記中空本体に収容されると、当該取手部は、前記中空本体の前記開口部からそれぞれ突出する。前記支持部は、前記プローブカバーの中空体を受けるために前記第１の開口に面する第３の開口を有する。
【００１４】
従って、本発明のさらに他の目的は、耳式体温計のプローブカバー用取出し容器及びそのような取出し容器の製造方法を提供することであって、前記取出し容器は、中空本体に収容され、その長さが当該中空本体の長さ以下である支持部を有するので、より多くのプローブカバーを前記取出し容器に収納することが可能となるものである。一方、ユーザは、耳式体温計を取出し容器の中へ直接挿入してプローブカバーを取り出し、そのプローブカバーを耳式体温計に装着することができる。
【００１５】
本発明のさらに他の目的は、耳式体温計のプローブカバー用取出し容器及びそのような取出し容器の製造方法を提供することであって、前記取出し容器の支持部の外面と前記取出し容器の中空本体の内面との間の摩擦は、前記中空本体の前記内面と前記プローブカバーのフランジとの間の摩擦よりも大きいものである。そのため、ユーザは、耳式体温計の測定プローブの大きさに関係なく、耳式体温計を取出し容器の中へと直接挿入してプローブカバーを取り出し、当該プローブカバーを耳式体温計に装着することができる。
【００１６】
本発明のさらに他の目的は、耳式体温計のプローブカバー用取出し容器及びそのような取出し容器の製造方法を提供することであって、前記取出し容器は、ユーザが持ったり力を入れたりし易くするために、折れ曲がった構成要素として形成された耳部をそれぞれが有する取手部を有するものである。
【００１７】
本発明のさらに他の目的は、耳式体温計のプローブカバー用取出し容器及びそのような取出し容器の製造方法を提供するものであって、前記取出し容器は、ユーザが持ったり力を入れたりし易くするために、取手部によって形成され、前記取出し容器の中空本体の周辺を取り囲む裾部を有するものである。
【００１８】
本発明のさらに他の目的は、耳式体温計のプローブカバー用取出し容器及びそのような取出し容器の製造方法を提供することであって、前記取出し容器は、その下端がブラケットに連結される裾部を有するので、ユーザが前記取出し容器を手に持たずに、当該取出し容器を使用できるものである。
【図面の簡単な説明】
【００１９】
本発明及び好適な使用形態、さらなる目的及びその利点は、以下の例示的実施形態の詳細な説明を添付図とともに参照することでよく理解される。
【図１Ａ】図１Ａは、本発明の第１の好適な実施形態に係る取出し容器の斜視図であり、当該取出し容器の中空本体及び支持部が描かれたものである。
【図１Ｂ】図１Ｂは、本発明の第１の好適な実施形態の他の態様に係る中空本体の上面斜視図である。
【図１Ｃ】図１Ｃは、本発明の第１の好適な実施形態に係る取出し容器の斜視図であり、中空本体及び支持部がどのように組み立てられるかを示すものである。
【図１Ｄ】図１Ｄは、本発明の第１の好適な実施形態に係る支持部の底部斜視図である。
【図２】図２は、本発明の第１の好適な実施形態に係る取出し容器の斜視図であり、中空本体、支持部及び、カバーケースがどのように組み立てられるかを示すものである。
【図３】図３は、本発明の第１の好適な実施形態に係る取出し容器の斜視図であり、中空本体、支持部及び、カバーケースが組み立てられたものである。
【図４】図４は、本発明の第３の好適な実施形態に係る取出し容器の斜視図であり、中空本体及び支持部が組み立てられた状態で描かれたものである。
【図５Ａ】図５Ａは、本発明の第３の好適な実施形態に係る中空本体の斜視図である。
【図５Ｂ】図５Ｂは、本発明の第３の好適な実施形態に係る支持部の斜視図である。
【図６】図６は、本発明の第３の好適な実施形態に係る取出し容器の斜視図であり、支持部が中空本体の中に収容されたものである。
【図７Ａ】図７Ａは、本発明の第５の好適な実施形態に係る取出し容器の斜視図である。
【図７Ｂ】図７Ｂは、本発明の第５の好適な実施形態に係る取出し容器の支持部の斜視図である。
【図７Ｃ】図７Ｃは、本発明の第５の好適な実施形態に係る取出し容器の支持部の側面斜視図である。
【図７Ｄ】図７Ｄは、本発明の第５の好適な実施形態の他の態様に係る取出し容器の斜視図であり、当該取出し容器が耳部を備えて形成されたものである。
【図７Ｅ】図７Ｅは、第５の好適な実施形態のさらに他の態様に係る取出し容器の支持部の斜視図であり、当該支持部には折れ曲がった構成要素が設けられるものである。
【図７Ｆ】図７Ｆは、本発明の第５の好適な実施形態のさらに他の態様に係る取出し容器の斜視図であり、当該取出し容器が裾部を備えて形成された支持部を備えるものである。
【図７Ｇ】図７Ｇは、図７Ｆの取出し容器の他の斜視図であり、当該取出し容器がブラケットに固定されたものである。
【発明を実施するための形態】
【００２０】
本発明は、耳式体温計のプローブカバー用の取出し容器及びそのような取出し容器の製造方法を提案するものであるが、耳式体温計の基本的原理は、通常の知識を有している者であれば理解することができるため、本明細書において詳細な説明は行わない。一方、以下の説明において参照する添付の図面は、実際の縮尺でなされたものではなく、本発明の特徴を単に概略的に示すとこを意図しているため、実際の尺度で描く必要はない。
【００２１】
図１Ａを参照して、本発明の第１の好適な実施形態に係る耳式体温計のプローブカバー用取出し容器２０を説明する。取出し容器２０は、それぞれが１つの開口端２４１及び反対側に閉端２４２を備える中空体２４０を有する複数のプローブカバーを収容するように構成され、フランジ２４３が開口端２４１から外に向かって放射状に延びる。取出し容器２０は、中空本体２１及び支持部２２を備える。中空本体２１によって、取出し容器２０が積み重ねられた複数のプローブカバー２４をまとめて収容できるようになる。図１Ｂを参照すると、第１の開口２１１は、中空本体２１の一端に形成され、複数のプローブカバー２４は、それぞれの開口端２４１が、中空本体２１の第１の開口２１１に面するように中空本体２１の中に配置される。
【００２２】
図１Ｃから分かるように、第１の開口２１１を有する一端の反対側の中空本体２１の他端には、第２の開口２１２が形成される。第２の開口２１２には、１対の第１の当接部２１５が隣接して設けられる。また、中空本体２１の第２の開口２１２に面する支持部２２の一端は（破線で示されたように）、第３の開口２２１を備えて形成される。第３の開口２２１には、１対の第２の当接部２２３が隣接して設けられる。支持部２２が中空本体２１の中にぴったりと収まるように図１Ｃの破線によって示した方向に沿って中空本体２１の第２の開口２１２を通って挿入されると、第２の当接部２２３は、第１の当接部２１５に突付けになり、支持部２２が中空本体２１から落下することを防止する。さらに、支持部２２の中に積み重ねられたプローブカバー２４をしっかりと保持するように、最も近いプローブカバー２４のフランジ２４３に当接する、１対の第３の当接部２２４が支持部２２の第３の開口２２１に隣接して設けられる。第１の当接部２１５、第２の当接部２２３及び、第３の当接部２２４のそれぞれは、細長片のような構造である。
【００２３】
本実施形態において、中空本体２１及び支持部２２は、ともに可撓性のある材料からできており、実質的に同様の断面形状を有する。支持部２２の外面と中空本体２１の内面との間の摩擦が中空本体２１の内面とプローブカバー２４のフランジ２４３との間の摩擦より大きい、支持部２２の外面と中空本体２１の内面との間の界面により、ユーザは、耳式体温計（図には示さず）を取出し容器２０の中に直接挿入して、支持部２２を中空本体２１の中へとさらに移動させることができるので、１つの当該プローブカバー２４を首尾よく回収することができる。一方、支持部２２が中空本体２１の中へとさらに動くのに伴って、取出し容器２０の全体の大きさは減少する。
【００２４】
図２及び図３を参照すると、取出し容器２０は、取出し容器２０からプローブカバー２４を回収する際の利便性を高めるために支持部２２を取り囲むカバーケース２３をさらに備える。取出し容器２０に収納されたプローブカバー２４が続けて取り出される時、支持部２２は、中空本体２１の中へ深く押し込まれるので、中空本体２１から突出した支持部２２の長さは次第に短くなる。ここで、支持部２２は、カバーケース２３によって取り囲まれているので、ユーザがカバーケース２３を持って、取出し容器２０からプローブカバー２４を回収しようとする時でも、中空本体２１のためにふさがった彼／彼女の手を使うことなく中空本体２１を下方向に向かって押し込むことができる。そのため、カバーケース２３は、支持部２２によって中空本体２１の中へとスムーズに嵌め込まれる。その上、図１Ｄに示したように、取出し容器２０を支持するブラケットを部分的に収容するために、支持部２２の底には収容スペース２２２が形成される。また、カバーケース２３は、支持部２２を支えるために下蓋２３６が設けられた底を有する。
【００２５】
図２及び図３を参照すると、取出し容器２０をブラケットに装着するために、カバーケース２３は、まず支持部２２の周りに実装されるので、支持部２２の底が、カバーケース２３の下蓋２３６に当接する。そして、ブラケットは、支持部２２の収容スペース２２２に届くようにカバーケース２３に形成された１対の側方の穴２３５を貫通する。特に、カバーケース２３は、支持部２２と実質的に同じ長さを有するが、カバーケース２３の底及び中空本体２１は、実質的に同様の周囲形状を有する。カバーケース２３は、紙又はプラスチックからできている。さらに、中空本体２１の断面形状は、描いた矩形の他に、円形、三角形、台形又は、多角形であってもよい。
【００２６】
図１Ａ及び図１Ｂに戻って参照すると、支持部２２及び中空本体２１の長さは、実質的に等しい。第１の開口２１１を閉じて、プローブカバー２４が第１の開口２１１を通って逃げること避けるために、上蓋２１３及びプラップ２１７が中空本体２１の第１の開口２１１に隣接して互いに対向するように設けられる。ここで、上蓋２１３の一方に突起部２１６が形成され、フラップ２１７の中央に係止穴２１８が形成されるので、フラップ２１７の係止穴２１８を通って上蓋２１３の突起部２１６を貫通させることにより、上蓋２１３がフラップ２１７と連結される。中空本体２１及び支持部２２は、紙又はプラスチックからできている。図１Ｂに示したように、上蓋２１３は、単一部品構成に限定されるものではなく、１対のカバープレート２１４として形成される。２つのカバープレート２１４は、それぞれ、突起部及び突起部に対応する切欠き部が設けられるので、突起部及び切欠き部同士を連結させると、２つのカバープレート２１４は、連帯して第１の開口２１１を閉じる。もちろん、カバープレート２１４同士は、実際の適用に基づいて異なる方法で連結することもできる。
【００２７】
本発明の第2の好適な実施形態を提案して、第1の好適な実施形態において説明したような取出し容器の製造方法を提供する。この方法には以下のステップが含まれる。
（１）第１の開口を備えて形成された一端及び第２の開口を備えて形成された反対端を有する可撓性のある中空本体を提供するステップ。ここで、第２の開口に隣接する中空本体の内側に、少なくとも１対の当接部が設けられ、中空本体は、プローブカバーが中空本体の第１の開口に面するように、複数の積み重ねられたプローブカバーを収容するように構成され、中空本体の第１の開口は、第１の開口を閉じるための上蓋を備えて形成され、当該上蓋は、第１の開口を閉じるための２つのカバープレートから適宜構成される。
（２）中空本体に受けられた一端及び、中空本体の第２の開口から突出する反対端を有する可撓性のある支持部を提供するステップ。ここで、プローブカバーの中空本体を受けるために、第３の開口が第１の開口に面する支持部の端に形成され、支持部が第２の開口を通って落下することを防止するように、支持部は、第１の当接部に当接する第３の開口に隣接する少なくも１対の第２の当接部を外側に備え、支持部は、最も近いプローブカバーのフランジに当接する第３の開口に隣接する少なくとも１対の第３の当接部を備えて形成され、第３の開口の反対側の支持部の端は、底として形成され、支持部及び中空本体は、実質的に同様の断面形状を有し、支持部の外面と中空本体の内面との間に界面が形成される。 
（３）カバーケースを提供するステップ。ここで、カバーケース及び支持部の長さは実質的に等しく、カバーケースの底及び中空本体は、実質的に同様の周囲形状を有し、ケースカバーの底は、支持部を支えるための下蓋を備える。
【００２８】
本実施形態において、取出し容器の中空本体、支持部、カバーケース及び、他の関連する構成要素は、構造、材料、連結方法及び作用において第１の好適な実施形態のものと同じである。
【００２９】
図４を参照して、本発明の第３の好適な実施形態に係る耳式体温計のプローブカバー用取出し容器３０を説明する。取出し容器３０は、それぞれが１つの開口端２４１及び反対側の閉端２４２を備える中空体２４０を有する複数のプローブカバーを収容するように構成され、フランジ２４３が開口端２４１から外に向かって放射状に延びる。取出し容器３０は、中空本体３１及び支持部３２を備える。中空本体３１によって、取出し容器３０が積み重ねられた複数のプローブカバー２４をまとめて収容できるようになる。第１の開口３１１は、取出し容器３０の一端に形成され、複数のプローブカバー２４は、それぞれの開口端２４１が、中空本体３１の第１の開口３１１に面するように取出し容器３０に配置される。
【００３０】
図５Ａ及び図５Ｂから分かるように、第１の開口３１１を有する中空本体３１の一端の反対側の他端には、底３１６が形成され、第２の開口３１２が中心部に形成される。支持部３２は、中空本体３１において受けられる一端及び、中空本体３１の第２の開口３１２から突出する反対端を有する。支持部３２は、プローブカバー２４の中空体２４０を受けるために、第１の開口３１１面した第３の開口３２１を有する。最も近いプローブカバー２４のフランジ２４３に当接するために、肩部３２０が支持部３２の第３の開口から横方向に延ばされているので、支持部３２の中で積み重ねられたプローブカバー２４がしっかりと保持される。その上、支持部３２の肩部３２０も、支持部３２が中空本体３１の第２の開口３１２を通って落下することを防止するように、中空本体３１の底３１６に当接する。
【００３１】
図４によると、中空本体３１及び支持部３２はともに、可撓性のある材料からつくられるので、支持部３２を中空本体３１の中にぴったりと収めることができる。一方、支持部３２の肩部３２０と中空本体の内面との間に界面が形成され、支持部３２の肩部３２０と中空本体３１の内面との間の摩擦は、中空本体３１の内面とプローブカバー２４のフランジ２４３との間の摩擦よりも大きい。よって、ユーザは、耳式体温計（図には示さず）を取出し容器３０の中に直接挿入して、支持部３２を中空本体３１の第１の開口３１１に向かって移動させるので、１つの当該プローブカバー２４を首尾よく回収することができる。同時に、支持部３２が中空本体３１の中へとさらに動くに伴って、取出し容器３０の全体の大きさは減少する。
【００３２】
図６を参照すると、支持部３２の肩部３２０及び中空本体３１の第１の開口３１１は、実質的に同様の断面形状を有するとともに、支持部３２及び中空本体３１の長さは、実質的に等しい。図において中空本体３１は、矩形の断面形状を持つものとして示されているが、中空本体３１の断面形状は、円形、三角形、台形又は、多角形であってもよい。中空本体３１及び支持部３２は、紙又はプラスチックからできている。さらに、第１の開口３１１を閉じることによってプローブカバー２４が取出し容器３０から逃げることを防止するように、上蓋３１３が中空本体３１の第１の開口３１１に隣接して設けられる。
【００３３】
図４に戻って参照すると、上蓋３１３は、単一部品構成に限定されるものではなく、１対のカバープレート３１４，３１５から構成される。２つのカバープレート３１４，３１５は、それぞれ、突起部及び突起部に対応する長穴が設けられるので、カバープレート３１４の突起部がカバープレート３１５の長穴と連結されると、カバープレート３１４，３１５は、連帯して第１の開口２１１を閉じる。もちろん、カバープレート３１４，３１５同士は、実際の適用に基づいて異なる方法で連結することもできる。図５Ｂを参照すると、管状部３２２は、プローブカバー２４を受けるために支持部３２の第３の開口３２１から延びる。さらに、取り外し可能な架台３２４は、第３の開口３２１の反対側の支持部３２の一端に横向きに設けられる。三先の尖った星のような断面形状を有する連接棒３２３は、取出し容器３０によって支持部３２にかかる圧力を均等に分散させるために、管状部３２２と架台３２４との間に設けられる。あるいは、連接棒３２３は、三先の尖った星型構成に加えて架台３２４までずっと延びる筒状の形状であってもよい。さらに、架台３２４及び中空本体３１は、実質的に同様の周囲形状を有する。
【００３４】
ここで、本発明の第４の好適な実施形態を提案して、第３の好適な実施形態において説明したような取出し容器の製造方法を提供する。この方法には、以下のステップが含まれる。
（１）第１の開口を備えて形成された一端及び、第２の開口を中央に備える底として形成された反対端を有する可撓性のある中空本体を提供するステップ。中空本体は、プローブカバーの開口端が中空本体の第１の開口に面するように、複数の積み重ねられたプローブカバーを収容するように構成される。
（２）中空本体において受けられた一端及び、中空本体の第２の開口から突出する反対端を有する支持部を提供するステップ。ここで、支持部は、プローブカバーの中空体を受けるために第１の開口に面する第３の開口を有し、肩部は、最も近いプローブカバーのフランジに当接する第３の開口から横方向に外に向かって延ばされ、肩部も、支持部が中空本体の第２の開口を通って落下することを防止するように、中空本体の底に突付けになり、支持部は、中空本体の材料より硬い材料からできているので、支持部の肩部と中空本体の内面との間に界面が形成される。
（３）第３の開口を有する一端の反対側にある支持部の底に横方向に架台をさらに提供するステップ。ここで、 架台及び中空本体は、実質的に同様の断面形状を有する。
（４）第１の開口を閉じるために中空本体の第１の開口に隣接する少なくとも１つの上蓋をさらに提供するステップ。ここで、上蓋は、第１の開口を閉じるための１対のカバープレートから構成されてもよい。
【００３５】
本実施形態において、取出し容器の中空本体、支持部及び、他の関連する構成要素は、構造、材料、連結方法及び作用において第３の好適な実施形態のものと同じである
【００３６】
図７Ａを参照して、本発明の第５の好適な実施形態に係る耳式体温計のプローブカバー用取出し容器４０を説明する。取出し容器４０は、それぞれが１つの開口端２４１及び反対側の閉端２４２を備える中空体２４０を有する複数のプローブカバーを収容するように構成され、フランジ２４３が開口端２４１から外に向かって放射状に延びる。取出し容器４０は、中空本体４１及び支持部４２を備える。中空本体４１によって、取出し容器４０は、積み重ねられた複数のプローブカバー２４をまとめて収容できるようになる。第１の開口４１１は、中空本体４１の一端に形成され、複数のプローブカバー２４は、それぞれの開口端２４１が中空本体４１の第１の開口４１１に面するように中空本体２１に配置される。その上、中空本体４１は、第１の開口４１１を有する一端の反対側の他端に底４１６と、中空本体４１の２つの側面にそれぞれ形成された１対の開口部４３とを有する。
【００３７】
図７Ｂ及び図７Ｃを参照すると、中空本体４１に収容された支持部４２の長さは、中空本体４１の長さ以下であり、支持部は、中空本体４１の内部において可動性を有する。本実施形態の支持部４２の大きさは、小さくなっているので、より多くのプローブカバー２４を取出し容器４０に収納することができる。支持部４２は、第１の開口４１１に面する第３の開口４２１を有する。管状部４２２は、プローブカバー２４の中空体を受けるために第３の開口４２１から延びる。肩部４２０は、最も近いプローブカバー２４のフランジ２４３に当接する第３の開口４２１から横方向に延びるので、積み重ねられたプローブカバー２４が支持部４２の中でしっかりと保持される。１対の取手部４２３は、支持部４２の２つの側面にそれぞれ設けられ、中空本体４１の開口部４３からそれぞれ突出して、ユーザが持ったり力を入れたりし易くする。
【００３８】
本発明において、中空本体４１及び支持部４２は、可撓性のある材料からできており、支持部４２と中空本体４１の内面との間に界面が形成される。すなわち、支持部４２と中空本体４１の内面との間の摩擦は、中空本体４１の内面とプローブカバー２４のフランジ２４３との間の摩擦よりも大きい。そのため、ユーザは、耳式体温計（図には示さず）を取出し容器４０の中に直接挿入して、支持部４２を中空本体４１の中へとさらに移動させることができるので、１つの当該プローブカバー２４を首尾よく取り出すことができる。  
【００３９】
図７Ｄを参照すると、支持部４２の取手部４２３は、幅が中空本体４１の開口部４３よりも大きい耳部４２４を備えてさらに延びるので、取手部４２３を持っているユーザは、力を簡単に働かせて支持部４２を中空本体４１の内部へスムーズに移動させることができる。図７Ｅを参照すると、耳部４２４は、折れ曲がった構成要素４２７として形成される。ユーザが耳式体温計（図には示さず）を取出し容器４０の中へと挿入すると、折れ曲がった構成要素４２７はユーザの手に当たるので、持ったり力を入れたりし易くなる。図７Ｆを参照すると、支持部４２の両側に設けられた１対の取手部４２３は互いに接続されて、中空本体４１の周囲を取り囲んでユーザが持ったり力を入れたりし易くする裾部４４を形成する。ここで図７Ｇを見ると、ユーザが取出し容器４０を彼／彼女の手に持つことなく安定して力を入れられるようにするために、裾部４４は、ブラケット４５に固定された下縁を有するので、取出し容器４０は、使用中に転倒することなく安定してテーブルに設置することができる。
【００４０】
また、支持部４２及び取手部４２３は、１つの部品として一体的に形成されてもよいし、個別につくって組み立ててもよいが、一体的に形成された構造がより好ましい。中空本体４１又は取手部４２３はそれぞれ、描いた矩形の断面形状の代わりに、円形、三角形、台形又は多角形の断面形状を有してもよい。中空本体４１、支持部４２及び、取手部４２３は、紙又はプラスチックからできている。さらに、第１の開口４１１を閉じて、プローブカバー２４が取出し容器４０から逃げることを防止するために、上蓋４１３が中空本体４１の第１の開口４１１に隣接して設けられる。あるいは、図７Ｇから分かるように、上蓋４１３は、一体型の構成に限定されるものではなく、１対のカバープレート４１４，４１５から構成される。２つのカバープレート４１４，４１５はそれぞれ、突起部及び突起部に対応する長穴を備えるので、カバープレート４１４の突起部が、カバープレート４１５の長穴と連結されると、２つのカバープレート４１４，４１５は、連帯して第１の開口４１１を閉じる。もちろん、カバープレート４１４，４１５同士は、実際の適用に基づいて異なる方法で連結することもできる。
【００４１】
本発明の第６の好適な実施形態をここに提案して、第５の好適な実施形態において説明したような取出し容器の製造方法を提供する。この方法には、次のステップが含まれる。
（１）第１の開口が形成された一端及び、底として形成された反対端を有する可撓性のある中空本体を提供するステップ。ここで、１対の開口部が、中空本体の２つの側面にそれぞれ形成され、中空本体は、プローブカバーの開口端が、中空本体の第１の開口に面するように、複数の積み重ねられたプローブカバーを収容するように構成される。
（２）中空本体に収容され、中空本体の中で可動性を有する支持部を提供するステップ。支持部の長さは、中空本体の長さ以下であり、支持部は、プローブカバーの中空体を受けるために第１の開口に面する第３の開口を有し、肩部が、最も近いプローブカバーのフランジに当接する第３の開口から横方向に延び、１対の取手部が支持部の２つの側面にそれぞれ設けられるとともに中空本体の開口部からそれぞれ突出する。中空本体と支持部の内面との間に界面が形成されるので、支持部と中空本体の内面との間の摩擦が、中空本体の内面とプローブカバーのフランジとの間の摩擦より大きい。
（３）第１の開口を閉じるために中空本体の第１の開口に隣接する少なくとも１つの上蓋をさらに提供するステップ。ここで上蓋は、第１の開口を閉じるための１対のカバープレートから構成されてもよい。
【００４２】
本実施形態において、取出し容器の中空本体、支持部及び、他の関連する構成要素は、構造、材料、連結方法及び作用において第５の好適な実施形態のものと同じである。
【００４３】
本発明は、好適な実施形態を参照して説明してきたが、実施形態は、本発明の範囲を限定することを意図するものではないことが理解される。また、本明細書に開示した内容は、当業者であれば容易に理解し実施することができるものであり、本発明の概念から逸脱しない全ての同等な訂正又は変更は、添付した請求項により含まれるものとする。
【符号の説明】
【００４４】
２０，３０，４０    取出し容器
２１，３１，４１    中空本体
２１１，３１１，４１１  第１の開口
２１２，３１２  第２の開口
２１３，３１３，４１３  上蓋
２１４，３１４，３１５，４１４，４１５  カバープレート
２１５  第１の当接部
２１６  突起部
２１７  フラップ
２１８  係止穴  
２２，３２，４２    支持部
２２１，３２１，４２１  第３の開口
２２２  収容スペース
２２３  第２の当接部
２２４  第３の当接部
２３    カバーケース
２３６  下蓋
２４    プローブカバー
２４０  中空本
２４１  開口端
２４２  閉端
２４３  フランジ
３１６，４１６  底
３２０，４２０  肩部
３２２，４２２  管状部
３２３  連接棒
３２４  架台
４３    開口部
４２３  取手部
４２４  耳部
４２７  折れ曲がった構成要素
４４    裾部
４５    ブラケット
【図１Ａ】
0005156865.tif 000002
【図１Ｂ】
0005156865.tif 000003
【図１Ｃ】
0005156865.tif 000004
【図１Ｄ】
0005156865.tif 000005
【図２】
0005156865.tif 000006
【図３】
0005156865.tif 000007
【図４】
0005156865.tif 000008
【図５Ａ】
0005156865.tif 000009
【図５Ｂ】
0005156865.tif 000010
【図６】
0005156865.tif 000011
【図７Ａ】
0005156865.tif 000012
【図７Ｂ】
0005156865.tif 000013
【図７Ｃ】
0005156865.tif 000014
【図７Ｄ】
0005156865.tif 000015
【図７Ｅ】
0005156865.tif 000016
【図７Ｆ】
0005156865.tif 000017
【図７Ｇ】
0005156865.tif 000018